(57)【要約】【課題】ドレンパンからドレン水を確実に排出できるようにする。【解決手段】空気調和システムの室外機は、熱交換器と、熱交換器の下方に配置されると共に、その外縁部において上方に向かって突出する上方壁部１６１が形成されたドレンパン１６とを備え、上方壁部１６１の一部には、切り欠き１６３が設けられている。この切り欠き１６３は、上方壁部１６１の上端１６１ａからドレンパン１６の上面１６２の平坦部分１６２ｂまで延在している。【選択図】図９
2011137601.tif 000002
【特許請求の範囲】
【請求項１】
熱交換器と、
前記熱交換器の下方に配置されると共に、その外縁部において上方に向かって突出する上方壁部が形成されたドレンパンとを備え、
前記上方壁部の一部には、ドレン水排出部が設けられていることを特徴とする空気調和システムの室外機。
【請求項２】
前記ドレンパンの上面の少なくとも一部は、前記ドレン水排出部に近付くにつれて下方に配置されるように傾斜していることを特徴とする請求項１に記載の空気調和システムの室外機。
【請求項３】
前記ドレン水排出部は、前記ドレンパンにおいて前記熱交換器の下方の領域に配置されていることを特徴とする請求項１または２に記載の空気調和システムの室外機。
【請求項４】
前記ドレン水排出部は、前記ドレンパンにおいて前記熱交換器の風上側に配置されていることを特徴とする請求項３に記載の空気調和システムの室外機。
【請求項５】
前記ドレン水排出部は、前記上方壁部の上端から下方に向かって延在した切り欠きであることを特徴とする請求項１〜４のいずれか１項に記載の空気調和システムの室外機。
【請求項６】
前記切り欠きは、前記上方壁部の上端から前記ドレンパンの上面まで延在していることを特徴とする請求項５に記載の空気調和システムの室外機。
【請求項７】
前記ドレンパンは、その外縁部において下方に向かって突出し且つ前記切り欠きに対応するように配置された下方壁部を有していることを特徴とする請求項６に記載の空気調和システムの室外機。
【請求項８】
前記下方壁部の根元部の外周面は、Ｒ形状となっていることを特徴とする請求項７に記載の空気調和システムの室外機。
【請求項９】
前記ドレンパンの下面に設けられたヒータを備えていることを特徴とする請求項１〜８のいずれか１項に記載の空気調和システムの室外機。
【請求項１０】
前記ドレン水排出部及び前記ヒータの少なくとも一部は、前記ドレンパンにおいて室外機の前面側または背面側となる領域に設けられていることを特徴とする請求項９に記載の空気調和システムの室外機。
【請求項１１】
前記ドレンパンは、その外縁部において下方に向かって突出する下方壁部を有しており、
前記ヒータは、前記下方壁部の角部に設けられていることを特徴とする請求項９または１０に記載の空気調和システムの室外機。
【請求項１２】
圧縮機と、前記圧縮機から吐出された冷媒が流れる配管とを備え、
前記ヒータは、前記配管によって構成されていることを特徴とする請求項９〜１１のいずれか１項に記載の空気調和システムの室外機。
【発明の詳細な説明】
【技術分野】
【０００１】
本発明は、空気熱交換器を収容する筐体を有する空気調和システムの室外機に関する。
【背景技術】
【０００２】
従来の空気調和システムの室外機には、圧縮機や空気熱交換器を収容する筐体を有するものが多く、空気熱交換器の下方には、ドレンパンが配置されているのが一般的である。そして、ドレンパンに受けられたドレン水は、ドレンパンの底面に形成された排水穴から外部へ排出されていた（例えば、特許文献１参照）。
【先行技術文献】
【特許文献】
【０００３】
【特許文献１】特開２００７−２４００９９号公報
【発明の概要】
【発明が解決しようとする課題】
【０００４】
しかしながら、上述した従来の室外機では、ドレン水が排水穴から排出される際に、排水穴の縁全体から氷結が進行して、排水穴が詰まってしまうという問題があった。
【０００５】
本発明の目的は、ドレンパンからドレン水を確実に排出できる空気調和システムの室外機を提供することである。
【課題を解決するための手段】
【０００６】
第１の発明に係る空気調和システムの室外機は、熱交換器と、熱交換器の下方に配置されると共に、その外縁部において上方に向かって突出する上方壁部が形成されたドレンパンとを備え、上方壁部の一部には、ドレン水排出部が設けられている。
【０００７】
この空気調和システムの室外機では、従来のように、ドレンパンの底面に形成された排水穴がドレン水排出部として用いられるのではなく、ドレン水排出部が、ドレンパンの外縁部に配置された上方壁部に設けられていることから、従来と比べて、ドレン水の氷結が進行してドレン水排出部が詰まるまでの時間を大幅に伸ばすことができ、ドレンパンからドレン水を確実に排出できる。
【０００８】
本発明の「ドレン水排出部」は、上方壁部の上端から下方に向かって延在する切り欠きを含むと共に、上方壁部に形成された開口部を含んでいる。
【０００９】
第２の発明に係る空気調和システムの室外機は、第１の発明に係る空気調和システムの室外機において、ドレンパンの上面の少なくとも一部は、ドレン水排出部に近付くにつれて下方に配置されるように傾斜している。
【００１０】
この空気調和システムの室外機では、ドレンパンの上面をドレン水排出部に向かって傾斜させることにより、ドレン水をドレン水排水部に向けて確実に導くことができる。
【００１１】
第３の発明に係る空気調和システムの室外機は、第１または第２の発明に係る空気調和システムの室外機において、ドレン水排出部は、ドレンパンにおいて熱交換器の下方の領域に配置されている。
【００１２】
この空気調和システムの室外機では、ドレン水排出部を熱交換器の下方の領域に配置することにより、熱交換器で発生したドレン水をドレン水排出部から確実に排出することができる。
【００１３】
本発明の「熱交換器の下方の領域」は、ドレン水排水部及び熱交換器の一部がいずれもドレンパンにおいて室外機の背面側となる同じ領域に配置されている場合に、上面視において、熱交換器の一部が配置される領域と同一の領域と、ドレンパンにおいて室外機の背面側端部と熱交換器の一部との間の領域を含んでいる。
【００１４】
第４の発明に係る空気調和システムの室外機は、第３の発明に係る空気調和システムの室外機において、ドレン水排出部は、ドレンパンにおいて熱交換器の風上側に配置されている。
【００１５】
この空気調和システムの室外機では、ドレン水排出部を熱交換器の風上側に配置することにより、外部からの空気が熱交換器を通過しないで室外機内に侵入するのを抑制することができる。したがって、ドレン水排出部を、熱交換器の風下側の領域に配置した場合と比べて、熱交換の効率を向上させることができる。
【００１６】
本発明の「熱交換器の風上側」は、ドレン水排水部及び熱交換器の一部がいずれもドレンパンにおいて室外機の背面側となる同じ領域に配置されている場合に、上面視において、ドレンパンにおいて室外機の背面側端部と熱交換器の一部との間の領域を意味する。
【００１７】
第５の発明に係る空気調和システムの室外機は、第１〜第４の発明のいずれかに係る空気調和システムの室外機において、ドレン水排出部は、上方壁部の上端から下方に向かって延在した切り欠きである。
【００１８】
この空気調和システムの室外機では、従来と比べて、ドレン水の氷結が進行してドレン水排出部が詰まるまでの時間を大幅に伸ばし、ドレンパンからドレン水を確実に排出できる。
【００１９】
第６の発明に係る空気調和システムの室外機は、第５の発明に係る空気調和システムの室外機において、切り欠きは、上方壁部の上端からドレンパンの上面まで延在している。
【００２０】
この空気調和システムの室外機では、切り欠きがドレンパンの上面まで延在しているので、ドレンパンの上面からドレン水が排出されやすくなる。
【００２１】
第７の発明に係る空気調和システムの室外機は、第６の発明に係る空気調和システムの室外機において、ドレンパンは、その外縁部において下方に向かって突出し且つ切り欠きに対応するように配置された下方壁部を有している。
【００２２】
この空気調和システムの室外機では、切り欠きから排出されたドレン水を、ドレンパンの外縁部において下方に向かって突出する下方壁部に沿って、ドレンパンの下方に向けて確実に導くことができる。また、上方壁部を折り曲げるだけの簡単な加工で、切り欠きを形成すると共に下方壁部を容易に形成できる。
【００２３】
第８の発明に係る空気調和システムの室外機は、第７の発明に係る空気調和システムの室外機において、下方壁部の根元部の外周面は、Ｒ形状となっている。
【００２４】
この空気調和システムの室外機では、ドレンパンの下方に向かう下方壁部の根元部の外周面がＲ形状を有しているので、ドレンパンの上面からドレン水が排出されやすくなる。
【００２５】
第９の発明に係る空気調和システムの室外機は、第１〜第８の発明のいずれかに係る空気調和システムの室外機において、ドレンパンの下面に設けられたヒータを備えている。
【００２６】
この空気調和システムの室外機では、ヒータをドレンパンの下面に設けることにより、熱交換器で熱交換される空気流がヒータに接触するのを防止できる。
【００２７】
第１０の発明に係る空気調和システムの室外機は、第９の発明に係る空気調和システムの室外機において、ドレン水排出部及びヒータの少なくとも一部は、ドレンパンにおいて室外機の前面側または背面側となる領域に設けられている。
【００２８】
この空気調和システムの室外機では、ドレン水排出部とヒータとをドレンパンにおいて室外機の前面側または背面側となる同じ側に配置することにより、ドレン水排出部の近傍においてドレン水が氷結することを防止できる。
【００２９】
第１１の発明に係る空気調和システムの室外機は、第９または第１０の発明に係る空気調和システムの室外機において、ドレンパンは、その外縁部において下方に向かって突出する下方壁部を有しており、ヒータは、下方壁部の角部に設けられている。
【００３０】
この空気調和システムの室外機では、下方壁部がヒータに対する風避けとなって、ドレンパンの近傍を流れる空気流がヒータに接触するのを防止できる。
【００３１】
本発明の「ヒータは下方壁部の角部に設けられている」とは、ヒータの一部及び熱交換器の一部がいずれもドレンパンにおいて室外機の前面側または背面側となる同じ領域に配置されている場合に、上面視において、ヒータが熱交換器の一部が配置される領域と同一の領域に設けられている場合や、ヒータが熱交換器の一部とドレンパンにおいて室外機の前面側端部または背面側端部との間の領域に設けられている場合を意味している。
【００３２】
第１２の発明に係る空気調和システムの室外機は、第９〜第１１の発明のいずれかに係る空気調和システムの室外機において、圧縮機と、圧縮機から吐出された冷媒が流れる配管とを備え、ヒータは、配管によって構成されている。
【００３３】
この空気調和システムの室外機では、圧縮機から吐出された冷媒が流れる配管でヒータを構成することにより、別途、電気ヒータ等を用いた場合と比べて、空気調和システム全体におけるＣＯＰを向上できる。
【発明の効果】
【００３４】
以上の説明に述べたように、本発明によれば、以下の効果が得られる。
【００３５】
第１の発明では、従来のように、ドレンパンの底面に形成された排水穴がドレン水排出部として用いられるのではなく、ドレン水排出部が、ドレンパンの外縁部に配置された上方壁部に設けられていることから、従来と比べて、ドレン水の氷結が進行してドレン水排出部が詰まるまでの時間を大幅に伸ばし、ドレンパンからドレン水を確実に排出できる。
【００３６】
また、第２の発明では、ドレンパンの上面をドレン水排出部に向かって傾斜させることにより、ドレン水をドレン水排水部に向けて確実に導くことができる。
【００３７】
また、第３の発明では、ドレン水排出部を熱交換器の下方の領域に配置することにより、熱交換器で発生したドレン水をドレン水排出部から確実に排出することができる。
【００３８】
また、第４の発明では、ドレン水排出部を熱交換器の風上側に配置することにより、外部からの空気が熱交換器を通過しないで室外機内に侵入するのを抑制することができる。したがって、ドレン水排出部を、熱交換器の風下側の領域に配置した場合と比べて、熱交換の効率を向上させることができる。
【００３９】
また、第５の発明では、従来と比べて、ドレン水の氷結が進行してドレン水排出部が詰まるまでの時間を大幅に伸ばし、ドレンパンからドレン水を確実に排出できる。
【００４０】
また、第６の発明では、切り欠きがドレンパンの上面まで延在しているので、ドレンパンの上面からドレン水が排出されやすくなる。
【００４１】
また、第７の発明では、切り欠きから排出されたドレン水を、ドレンパンの外縁部において下方に向かって突出する下方壁部に沿って、ドレンパンの下方に向けて確実に導くことができる。また、上方壁部を折り曲げるだけの簡単な加工で、切り欠きを形成すると共に下方壁部を容易に形成できる。
【００４２】
また、第８の発明では、ドレンパンの下方に向かう下方壁部の根元部の外周面がＲ形状を有しているので、ドレンパンの上面からドレン水が排出されやすくなる。
【００４３】
また、第９の発明では、ヒータをドレンパンの下面に設けることにより、熱交換器で熱交換される空気流がヒータに接触するのを防止できる。
【００４４】
また、第１０の発明では、ドレン水排出部とヒータとをドレンパンにおいて室外機の前面側または背面側となる同じ側に配置することにより、ドレン水排出部の近傍においてドレン水が氷結することを防止できる。
【００４５】
また、第１１の発明では、下方壁部がヒータに対する風避けとなって、ドレンパンの近傍を流れる空気流がヒータに接触するのを防止できる。
【００４６】
また、第１２の発明では、圧縮機から吐出された冷媒が流れる配管でヒータを構成することにより、別途、電気ヒータ等を用いた場合と比べて、空気調和システム全体におけるＣＯＰを向上できる。
【図面の簡単な説明】
【００４７】
【図１】本実施形態に係る室外機を備えた温水暖房システムの構成を示す模式図である。
【図２】図１の温水暖房システムに含まれる室外機の構成を示す模式図である。
【図３】本実施形態に係る室外機の外観斜視図であって、（ａ）は正面斜視図であり、（ｂ）は背面斜視図である。
【図４】本実施形態に係る室外機の内部構造を示す斜視図である。
【図５】本実施形態に係る室外機の内部構造の正面視図であって、（ａ）は全体を示す図であり、（ｂ）は（ａ）の一部拡大図である。
【図６】ヒータと空気熱交換器及び室外ファンとの平面視における位置関係を示す図である。
【図７】ヒータが取り付けられた状態のドレンパンの外観斜視図である。
【図８】（ａ）はヒータが取り付けられた状態のドレンパンの上面視図であり、（ｂ）は取付部材の外観斜視図である。
【図９】ドレンパンを室外機の背面側から見た背面視図である。
【図１０】図９に示すＢ−Ｂ線の矢視断面図である。
【図１１】本実施形態に係る室外機に含まれるドレンパンの変形例を示した説明図である。
【発明を実施するための形態】
【００４８】
以下、図面に基づいて、本発明の一実施形態に係る室外機を備えた温水暖房システムについて説明する。図１は、本実施形態に係る室外機を備えた温水暖房システムの構成を示す模式図である。図２は、図１の温水暖房システムに含まれる室外機の構成を示す模式図である。
【００４９】
[温水暖房システムの構成]
図１に示すように、温水暖房システム１００（空気調和システム）は、温水を加熱する室外機１と、ラジエタや床温調パネル等の暖房ユニット２（暖房端末）と、室外機１と暖房ユニット２とを接続する温水回路３とを有している。この温水回路３は、室外機１内で加熱された温水を暖房ユニット２に供給すると共に、この暖房ユニット２から流出した温水を室外機１内に戻すものである。そして、この温水回路３には、暖房ユニット２に供給される温水の流量や温度を制御するための温水制御ユニット４が含まれる。また、温水暖房システム１００は、給湯用の湯を貯留する給湯ユニット５を有している。
【００５０】
図１に示すように、室外機１内で加熱された温水は、接続配管２０を介して、継手管６０から温水制御ユニット４に供給される。そして、この温水制御ユニット４の継手管６１から暖房ユニット２に向かって流出した温水は、接続配管２１を介して、暖房ユニット２に供給される。なお、この接続配管２１には、その内部を流れる温水を加熱するためのバックアップヒータユニット２２と、温水を給湯ユニット５に供給する際に用いられる三方弁２３とが設けられている。
【００５１】
暖房ユニット２から流出した温水は、接続配管２４を介して、継手管６２から温水制御ユニット４に供給される。そして、温水制御ユニット４の継手管６３から室外機１に向かって流出した温水は、接続配管２５を介して、室外機１内に戻される。
【００５２】
また、温水制御ユニット４内には、バイパス配管４０、混合弁４１、循環ポンプ４２及び流量センサ４３が設けられている。したがって、暖房ユニット２から流出した温水は、温水制御ユニット４の流量センサ４３に流入した後、その温水の一部は、バイパス配管４０及び混合弁４１を介して、室外機１から温水制御ユニット４内に流入した温水と混合される。従って、室外機１内で加熱された温水は、バイパス配管４０から供給される温水と混合した後で、温水制御ユニット４の循環ポンプ４２から暖房ユニット２に向かって流出する。混合弁４１は、室外機１内で加熱された温水に対して混合されるバイパス配管４０からの温水の量を調整することで、暖房ユニット２に供給される温水の温度を調整するために用いられる。
【００５３】
また、温水暖房システム１００では、接続配管２１に設けた三方弁２３を切り換えることによって、温水制御ユニット４から暖房ユニット２に向かって流出した温水を、給湯ユニット５に供給することができる。
【００５４】
［室外機の構成］
室外機１は、図２に示すように、温水制御ユニット４を介して供給される温水を加熱するガスクーラ８を有するヒートポンプユニットによって構成されている。室外機１は、下段圧縮機６（圧縮機）と、上段圧縮機７（圧縮機）と、ガスクーラ８と、エコノマイザ熱交換器９と、膨張弁１０と、空気熱交換器１１（熱交換器）とを順に接続した冷媒回路１２を有している。また、冷媒回路１２は、ガスクーラ８とエコノマイザ熱交換器９との間を流れる冷媒の一部が、エコノマイザ熱交換器９を経由して、下段圧縮機６と上段圧縮機７との間に戻るように設けられたバイパス回路１３を有している。このバイパス回路１３には、ガスクーラ８とエコノマイザ熱交換器９との間に配置されたインジェクション弁１４が設けられている。
【００５５】
また、空気熱交換器１１の近傍には室外ファン１５が設置され、空気熱交換器１１の下方にはドレンパン１６が設置されている。このドレンパン１６は、除霜運転時に発生したドレン水を受けるものであって、そのドレン水は、ドレンパン１６に形成されたドレン水排出部である切り欠き１６３から外部へ排出される。そして、冷媒回路１２においてエコノマイザ熱交換器９と膨張弁１０との間に配置された回路の一部が、ドレンパン１６を加熱するためのヒータ１７として、ドレンパン１６の下面１６０に設けられている。
【００５６】
下段圧縮機６及び上段圧縮機７は、ロータリ式やスクロール式などの容積式の圧縮機である。下段圧縮機６は、空気熱交換器１１から供給された冷媒を吸入して中間圧力まで圧縮し、上段圧縮機７の吸入側に吐出する。上段圧縮機７は、下段圧縮機６から吐出された中間圧力の冷媒とバイパス回路１３から流入した冷媒とを吸入して圧縮し、高温高圧の冷媒をガスクーラ８に供給する。
【００５７】
ガスクーラ８は、温水制御ユニット４を介して供給される温水を加熱するための熱交換器であって、冷媒回路１２内を流れる冷媒と温水回路３内を流れる温水との間で熱交換を行う。すなわち、ガスクーラ８では、上段圧縮機７から吐出された高温高圧の冷媒の保有する熱が、温水回路３内を流れる温水に供給されることにより、温水回路３内の温水が加熱される。なお、ガスクーラ８において、冷媒と温水とは互いに対向しつつ反対方向に流れる。
【００５８】
ガスクーラ８から流出した冷媒は、エコノマイザ熱交換器９に向かって流れ、エコノマイザ熱交換器９の上流側から下流側に向かって流れる。また、冷媒回路１２は、ガスクーラ８とエコノマイザ熱交換器９との間において分岐したバイパス回路１３を有している。したがって、ガスクーラ８から流出した冷媒の一部は、バイパス回路１３を介して、エコノマイザ熱交換器９に向かって流れ、エコノマイザ熱交換器９の下流側から上流側に向かって流れる。ここで、ガスクーラ８からバイパス回路１３を介してエコノマイザ熱交換器９に供給される冷媒は、開度制御可能な電動膨張弁であるインジェクション弁１４によって減圧される。また、エコノマイザ熱交換器９において、ガスクーラ８からバイパス回路１３を介さずに供給された冷媒と、ガスクーラ８からバイパス回路１３を介して供給された冷媒とは、互いに対向しつつ反対方向に流れる。
【００５９】
エコノマイザ熱交換器９では、暖房運転時において、ガスクーラ８からバイパス回路１３を介さずに供給された冷媒と、バイパス回路１３を介して供給された冷媒との間で熱交換を行う。すなわち、エコノマイザ熱交換器９において、ガスクーラ８からバイパス回路１３を介さずに供給された冷媒の保有する熱が、バイパス回路１３を介して供給された冷媒に供給される。したがって、ガスクーラ８からバイパス回路１３を介さずに供給された冷媒は、外気温度近くまで冷却されると共に、バイパス回路１３を介して供給された冷媒は加熱される。
【００６０】
ガスクーラ８からバイパス回路１３を介さずにエコノマイザ熱交換器９に供給され、外気温度近くまで冷却された後で、エコノマイザ熱交換器９の下流側に流出した冷媒は、膨張弁１０によって減圧された後で、空気熱交換器１１に供給される。ここで、上述したように、エコノマイザ熱交換器９と膨張弁１０との間に配置された回路の一部がドレンパン１６の下面１６０に設けられている。したがって、膨張弁９によって減圧される前の冷媒が、ドレンパン１６の下面１６０に設けられた回路を流れることによって、ドレンパン１６を加熱することができる。
【００６１】
［ドレンパンの加熱動作］
次に、本実施形態に係る室外機１を備えた温水暖房システム１００におけるドレンパン１６の加熱動作について説明する。
【００６２】
室外機１において暖房運転が行われている場合は、温水回路３のポンプが制御されることによって、温水回路３内の温水が、ガスクーラ８に対して供給される。また、ガスクーラ８からバイパス回路１３を介さずにエコノマイザ熱交換器９に冷媒が供給されると共に、インジェクション弁１４が制御されることで、ガスクーラ８からバイパス回路１３を介してエコノマイザ熱交換器９に冷媒が供給される。ここで、ガスクーラ８において、上段圧縮機７からガスクーラ８に供給された冷媒は、温水回路３内の温水と熱交換を行う。また、エコノマイザ熱交換器９において、ガスクーラ８からバイパス回路１３を介さずに供給された冷媒は、ガスクーラ８からバイパス回路１３を介して供給された冷媒と熱交換を行う。したがって、室外機１において暖房運転が行われている場合は、ガスクーラ８からバイパス回路１３を介さずに供給された冷媒は、外気温度近くまで冷却された後でエコノマイザ熱交換器９から流出する。そのため、ヒータ１７としてドレンパン１６の下面に設けられた回路を流れる冷媒は、ドレンパン１６をほとんど加熱することはない。
【００６３】
一方、室外機１において除霜運転が行われている場合は、温水回路３のポンプが停止されることによって、温水回路３内の温水は、ガスクーラ８に対して供給されなくなる。また、冷媒は、ガスクーラ８からバイパス回路１３を介さずにエコノマイザ熱交換器９に供給されるが、インジェクション弁１４が閉鎖されることで、ガスクーラ８からバイパス回路１３を介してエコノマイザ熱交換器９に供給されない。ここで、ガスクーラ８において、上段圧縮機７からガスクーラ８に供給された冷媒は、温水回路３内の温水と熱交換を行わないと共に、エコノマイザ熱交換器９において、ガスクーラ８からバイパス回路１３を介さずに供給された冷媒は、ガスクーラ８からバイパス回路１３を介して供給された冷媒と熱交換を行うこともない。したがって、室外機１において除霜運転が行われている場合は、ガスクーラ８からバイパス回路１３を介さずに供給された冷媒は、高温の状態でエコノマイザ熱交換器９から流出する。そのため、ヒータ１７としてドレンパン１６の下面１６０に設けられた回路を流れる冷媒は、ドレンパン１６を効率よく加熱することができる。
【００６４】
［室外機の構造］
次に、室外機１の構造について図３〜５を参照して説明する。
【００６５】
図３は、室外機１の外観斜視図であって、（ａ）は前面斜視図であり、（ｂ）は背面斜視図である。図４は、室外機１の内部構造を示す前面斜視図である。図５は、室内機１の内部構造を示す正面視図であって、（ａ）は全体図であり、（ｂ）は（ａ）の円で囲まれた部分の拡大図である。
【００６６】
室外機１は、筐体１８を備え、筐体１８内にガスクーラ８や下段圧縮機６等が収納されている。筐体１８は、図３（ａ）に示すように、前面に開口を有している。また、筐体１８は、図３（ｂ）に示すように、背面にも開口を有し、この開口を覆うように空気熱交換器１１が配置されている。そして、空気熱交換器１１の下方には、ドレン水の受け皿であるドレンパン１６が配置されている。
【００６７】
室外機１の内部には、図４に示すように、正面視して左側に空気熱交換器１１、室外ファン１５及びドレンパン１６が配置されている。室外ファン１５は、空気熱交換器１１の近傍に取り付けられており、３つの羽部１５ａと、羽部１５ａを回転させる駆動部１５ｂとから構成されている。そして、室外ファン１５は、駆動部１５ｂが空気熱交換器１１の高さ方向に沿って延在する部材に固定されることで、空気熱交換器１１の近傍に取り付けられている。羽部１５ａが回転すると、図４において奥から手前に向かう気流が形成される。これにより、空気熱交換器１１において冷媒と空気とが熱交換を行い、冷媒が加熱される。また、室外機１の内部には、正面視して右側に下段圧縮機６及び上段圧縮機７が配置され、その上方に電装品等が配置されている。
【００６８】
空気熱交換器１１の下方にはドレンパン１６が配置されており、図５（ｂ）に示すように、ドレンパン１６の下面１６０にヒータ１７が設けられ、さらにその下方にエコノマイザ熱交換器９及びガスクーラ８が順に配置されている。
【００６９】
［空気熱交換器、ドレンパン及びヒータ］
続いて、空気熱交換器１１、ドレンパン１６及びヒータ１７について説明する。
【００７０】
図６は、ヒータと空気熱交換器及び室外ファンとの平面視における位置関係を示す図である。図７は、ヒータが取り付けられた状態のドレンパンの外観斜視図である。図８は、ヒータが取り付けられた状態のドレンパンの上面視図である。図９は、ドレンパンを室外機の背面側から見た背面視図である。図１０は、図９に示すＢ−Ｂ線の矢視断面図である。
【００７１】
[空気熱交換器]
図６に示すように、空気熱交換器１１は、室外機１の背面側に設けられた背面部分１１ａと、室外機１の側面側に設けられた側面部分１１ｂとを有しており、平面視において、略Ｌ字状に折り曲げて形成されている。図６に示すように、空気熱交換器１１は、ドレンパン１６の後述するガイドリブ１６２ａ上に配置されているので、後述する平坦部分１６２ｂにドレン水を流すことができる。
【００７２】
[ドレンパン]
図６に示すように、ドレンパン１６は、空気熱交換器１１の下方に配置されている。このドレンパン１６には、図７に示すように、その外縁部において上方に向かって延在する上方壁部１６１が形成されている。そして、この上方壁部１６１の背面側には、ドレンパン１６からドレン水を排出するためのドレン水排出部としての切り欠き１６３が設けられている。
【００７３】
また、図７及び図８に示すように、ドレンパン１６の上面１６２には、凸形状のガイドリブ１６２ａが立設されている。また、ドレンパン１６の上面１６２には、ガイドリブ１４６ａが立設されていない平坦部分１６２ｂが、全体的に切り欠き１６３に近付くにつれて下方に傾斜している。
【００７４】
また、図９に示すように、ドレンパン１６は、その外縁部において下方に向かって突出し且つ切り欠き１６３に対応するように配置された下方壁部１６４を有している。また、図１０に示すように、この下方壁部１６４の根元部１６４ａの外周面は、Ｒ形状となっている。また、図９に示すように、切り欠き１６３は、上方壁部１６１の上端１６１ａからドレンパン１６の上面１６２の平坦部分１６２ｂまで延在している。
【００７５】
また、図６に示すように、切り欠き１６３は、ドレンパン１６において空気熱交換器１１の下方の領域に配置されている。本実施形態では、図６に示すように、切り欠き１６３と、空気熱交換器１１の背面部分１１ａと、側面部分１１ｂの一部とがいずれもドレンパン１６において室外機１の背面側となる同じ領域に配置されている。切り欠き１６３は、上面視において、背面部分１１ａの背面側端部１１ｃと下方壁部１６４の背面側端部１６４ｂとの間の領域に配置されている。また、ドレンパン１６において室外機１の背面側となる領域とは、図６に示すように、ドレンパン１６の上面１６２における中心線Ａ−Ａ線よりも室外機１の背面側の領域を意味している。
【００７６】
[ヒータ]
ヒータ１７は、上段圧縮機６によって圧縮された冷媒が流れる配管によって構成されている。本実施形態では、ヒータ１７は、エコノマイザ熱交換器９と膨張弁１０との間に設けられた配管によって構成されている。このヒータ１７は、図６に示すように、ドレンパン１６の下面１６０に設けられている。したがって、エコノマイザ熱交換器９を流出した冷媒が、ドレンパン１６の下面１６０に設けられた配管を流れることによって、冷媒の有する熱を利用してドレンパン１６を加熱することができる。図６に示すように、切り欠き１６３とヒータ１７の一部とは、ドレンパン１６において室外機１の背面側となる同じ側に配置されている。
【００７７】
また、図６に示すように、ヒータ１７は、ドレンパン１６の右側中央部からドレンパン１６の長手方向に沿って延在し、ドレンパン１６の背面側に折れ曲がり、さらに折れ曲がって、ドレンパン１６の長手方向に沿って延在する。その後、ヒータ１７は、ドレンパン１６の長手方向に対して斜め方向に延存し、さらに折れ曲がって、ドレンパン１６の奥行方向に沿って延在する。
【００７８】
また、図６に示すように、ヒータ１７においてドレンパン１６の長手方向に沿う長手方向部分１７ａと、ヒータ１７においてドレンパン１６の奥行方向に沿う奥行方向部分１７ｂの一部とは、下方壁部１６４の角部に設けられている。本実施形態では、図６に示すように、長手方向部分１７ａと、奥行方向部分１７ｂの一部と、空気熱交換器１１の背面部分１１ａと、側面部分１１ｂの一部とがいずれもドレンパン１６において室外機１の背面側となる同じ領域に配置されており、長手方向部分１７ａは、上面視において、背面部分１１ａが配置される領域と同一の領域に設けられている。また、奥行方向部分１７ｂの一部は、上面視において、側面部分１１ｂの一部が配置される領域と同一の領域に設けられている。
【００７９】
また、図８に示すように、ヒータ１７は、取付部材１９によってドレンパン１６の下面に取り付けられている。この取付部材１９は、ドレンパン１６に形成された開口を用いずにヒータ１７をドレンパン１６の下面１６０に取り付けるための部材である。すなわち、取付部材１９は、平板部１９ａの一端を湾曲させることで湾曲部１９ｂを形成したものであって、平板部１９ａをドレンパン１６の下面１６０に溶接あるいはカシメによって接着させ、湾曲部１９ｂにヒータ１７を嵌め込むことでヒータ１７をドレンパン１６の下面１６０に密着するように保持している。
【００８０】
（本実施形態に係る空気調和システムの室外機の特徴）
本実施形態に係る空気調和システムの室外機には、以下のような特徴がある。
【００８１】
従来のように、ドレンパン１６の底面に形成された排水穴がドレン水排出部として用いられるのではなく、ドレン水排出部である切り欠き１６３が、ドレンパン１６の外縁部に配置された上方壁部１６１に設けられていることから、従来と比べて、ドレン水の氷結が進行してドレン水排出部１６３が詰まるまでの時間を大幅に伸ばし、ドレンパン１６からドレン水を確実に排出できる。
【００８２】
また、切り欠き１６３を空気熱交換器１１の風上側に配置することにより、外部からの空気が空気熱交換器１１を通過しないで室外機１内に侵入するのを抑制することができる。したがって、切り欠き１６３を、空気熱交換器１１の風下側の領域に配置した場合と比べて、熱交換の効率を向上させることができる。
【００８３】
また、ドレンパン１６の上面１６２の平坦部分１６２ｂを全体的に切り欠き１６３に向かって傾斜させることにより、ドレン水を切り欠き１６３に向けて確実に導くことができる。
【００８４】
また、切り欠き１６３を空気熱交換器１１の下方の領域に配置することにより、空気熱交換器１１で発生したドレン水を切り欠き１６３から確実に排出することができる。
【００８５】
また、従来と比べて、ドレン水の氷結が進行して切り欠き１６３が詰まるまでの時間を大幅に伸ばし、ドレンパン１６からドレン水を確実に排出できる。
【００８６】
また、切り欠き１６３がドレンパン１６の上面１６２の平坦部分１６２ｂまで延在しているので、ドレンパン１６の平坦部分１６２ｂからドレン水が排出されやすくなる。
【００８７】
また、切り欠き１６３から排出されたドレン水を、ドレンパン１６の外縁部において下方に向かって突出する下方壁部１６４に沿って、ドレンパン１６の下方に向けて確実に導くことができる。また、上方壁部１６１を折り曲げるだけの簡単な加工で、切り欠き１６３を形成すると共に下方壁部１６４を容易に形成できる。
【００８８】
また、ドレンパン１６の下方に向かう下方壁部１６４の根元部１６４ａの外周面がＲ形状を有しているので、ドレンパン１６の上面１６２からドレン水が排出されやすくなる。
【００８９】
また、ヒータ１７をドレンパン１６の下面１６０に設けることにより、空気熱交換器１１で熱交換される空気流がヒータ１７に接触するのを防止できる。
【００９０】
また、切り欠き１６３とヒータ１７とをドレンパン１６において室外機１の背面側となる同じ側に配置することにより、切り欠き１６３の近傍においてドレン水が氷結することを防止できる。
【００９１】
また、ヒータ１７の一部を下方壁部１６４の角部に設けることにより、下方壁部１６４がヒータ１７に対する風避けとなって、ドレンパン１６の近傍を流れる空気流がヒータ１７に接触するのを防止できる。
【００９２】
また、エコノマイザ熱交換器９と膨張弁１０との間に設けられた配管を用いてヒータ１７を構成することにより、別途、電気ヒータ等を用いた場合と比べて、温水暖房システム１００全体におけるＣＯＰを向上できる。
【００９３】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味及び範囲内でのすべての変更が含まれる。
【００９４】
上述した実施形態では、切り欠き１６３が、上方壁部１６１の上端１６１ａからドレンパン１６の上面１６２の平坦部分１６２ｂまで延在する例について述べたが、本発明はかかる実施形態に限定されるものではなく、切り欠き１６３は、上方壁部１６１の上端１６１ａから下方に向かって延在するものであればよく、上面１６２の平坦部分１６２ｂまで延在しないものであってもよい。
【００９５】
また、上述した実施形態では、ドレンパン１６の上面１６２においてガイドリブ１６２ａが立設されていない平坦部分１６２ｂが、全体的に切り欠き１６３に向かって傾斜している例について述べたが、本発明はかかる実施形態に限定されるものではなく、平坦部分１６２ｂのうち切り欠き１６３に連通する一部のみが、切り欠き１６３に向かって傾斜していてもよい。
【００９６】
また、上述した実施形態では、切り欠き１６３とヒータ１７の一部とをドレンパン１６において室外機１の背面側となる同じ側に配置した例について述べたが、本発明はかかる実施形態に限定されるものではなく、切り欠き１６３とヒータ１７の一部とを、ドレンパン１６において室外機１の前面側となる同じ領域に配置してもよい。なお、ドレンパン１６において室外機１の前面側となる領域とは、図６に示すように、ドレンパン１６の上面１６２における中心線Ａ−Ａよりも室外機１の前面側の領域を意味している。
【００９７】
また、上述した実施形態では、ドレンパン１６からドレン水を排出するためのドレン水排出部として、上方壁部１６１の一部に切り欠き１６３を形成する例について述べたが、本発明はかかる実施形態に限定されるものではなく、図１１に示すように、ドレン水排出部として上方壁部１６１に上面１６２の平坦部分１６２ｂまで延在する開口部１１６３を形成してもよい。なお、この開口部１１６３は、平坦部分１６２ｂまで延在しないものであってもよい。
【００９８】
また、上述した実施形態では、温水回路３が、給湯ユニット５及びバックアップヒータユニット２２を有している例について述べたが、本発明はこれに限定されず、温水回路３は、給湯ユニット５やバックアップヒータユニット２２を有していなくてよい。
【００９９】
また、上述した実施形態では、ドレン水排出部１６３を、ドレンパン１６において室外機１の背面側の上方壁部１６１に設けたが、本発明はこれに限定されず、ドレンパン１６において室外機１の前面側の上方壁部１６１に設けてもよいし、ドレンパン１６において室外機１の側面側の上方壁部１６１に設けてもよい。
【０１００】
また、上述した実施形態では、ヒータ１７が、平面視において空気熱交換器１１や室外ファン１５と略同一の位置に配置されていたが、本発明はこれに限定されず、ヒータ１７の配置は変更できる。
【０１０１】
また、上述した実施形態では、室外機１を、この室外機１と暖房ユニット２とが接続された温水暖房システム１００に適用する例について述べたが、本発明はこれに限定されず、室外機を、この室外機と室内機とが接続された空気調和システムに適用してもよい。
【産業上の利用可能性】
【０１０２】
本発明を利用すれば、ドレンパンからドレン水を確実に排出できる空気調和システムの室外機を得ることができる。
【符号の説明】
【０１０３】
１  室外機
６  下段圧縮機（圧縮機）
７  上段圧縮機（圧縮機）
１１  空気熱交換器（熱交換器）
１６  ドレンパン
１７  ヒータ
１００  温水暖房システム（空気調和システム）
１６０  下面
１６１  上方壁部
１６１ａ  上端
１６２  上面
１６３  切り欠き（ドレン水排出部）
１６４  下方壁部
１６４ａ  根元部
１１６３  開口部（ドレン水排出部）
【図１】
2011137601.tif 000003
【図２】
2011137601.tif 000004
【図３】
2011137601.tif 000005
【図４】
2011137601.tif 000006
【図５】
2011137601.tif 000007
【図６】
2011137601.tif 000008
【図７】
2011137601.tif 000009
【図８】
2011137601.tif 000010
【図９】
2011137601.tif 000011
【図１０】
2011137601.tif 000012
【図１１】
2011137601.tif 000013